(57)【要約】      （修正有）【課題】太陽光がソーラーパネルに垂直に入射することを確保し、ソーラーパネルの光電変換効率が向上する、角度を容易に調整可能なソーラーパネルを提供する。【解決手段】ソーラーパネル本体１０と、調整ストラップ２０と、一端がソーラーパネル本体の裏面にヒンジ連結された架台３０を有し、ソーラーパネル本体の裏面に、角度表示エリアと角度表示エリアに位置対応する接続部５０が配置され、角度表示エリア４０に、ソーラーパネル本体が地面と成す角度を表示するための角度インジケーター４１が縦方向に配置され、調整ストラップの一端は、架台と固定するように接続され、もう一端は、必要に応じて接続部の前記角度インジケーターの異なる角度に対応する位置に可動するように固定される。【選択図】図１
0003234486.tif 000002
【実用新案登録請求の範囲】
【請求項１】
角度を容易に調整可能なソーラーパネルであって、
それは、ソーラーパネル本体と、調整ストラップと、一端がソーラーパネル本体の裏面にヒンジ連結された架台を有し、前記ソーラーパネル本体の裏面に、角度表示エリアと前記角度表示エリアに位置対応する接続部が配置され、前記角度表示エリアに、前記ソーラーパネル本体が地面と成す角度を表示するための角度インジケーターが縦方向に配置され、前記調整ストラップの一端は、前記架台と固定するように接続され、もう一端は、必要に応じて前記接続部の前記角度インジケーターの異なる角度に対応する位置に可動するように固定されることを特徴とする角度を容易に調整可能なソーラーパネル。
【請求項２】
上記接続部は、第一面ファスナーであり、前記調整ストラップのもう一端に、前記第一面ファスナーと貼り合わせる第二面ファスナーが配置されることを特徴とする請求項1に記載の角度を容易に調整可能なソーラーパネル。
【請求項３】
前記接続部の前記角度インジケーターの異なる角度に対応する位置に、スロットが配置され、前記調整ストラップのもう一端に、前記スロットに嵌合可能なフックが配置されることを特徴とする請求項1に記載の角度を容易に調整可能なソーラーパネル。
【請求項４】
前記調整ストラップは、前記架台のもう一端に接続されることを特徴とする請求項2又は請求項3に記載の角度を容易に調整可能なソーラーパネル。
【請求項５】
前記接続部は、長方形となる接続部であることを特徴とする請求項4に記載の角度を容易に調整可能なソーラーパネル。
【考案の詳細な説明】
【技術分野】
【０００１】
本考案はソーラーパネルの技術分野に関わり、特に、角度を容易に調整可能なソーラーパネルに関わる。
【背景技術】
【０００２】
ソーラーパネルは、複数の太陽光を使い直接発電可能な光電半導体チップを備える太陽電池によって直列または並列接続されたものである。太陽光がソーラーパネルに垂直に入射すると、ソーラーパネルはより強い太陽光が得られ、さらに多くの電気エネルギーに変換することができるため、この時、ソーラーパネルの光電変換効率はより高い。
【０００３】
既存技術のソーラーパネルは、取り付けられた後、地面に対する角度は固定されており、太陽光の照射角度は、時間とともに変化し続けているので、既存技術のソーラーパネルは一日の短時間で太陽光に垂直しかできなく、一日のほとんどの時間で太陽光に対して正対できない。既存技術のソーラーパネルは角度を調整できないため、光電変換効率が低く、発電効果が悪いという課題がある。
【０００４】
従って、光電変換効率が高く、角度を容易に調整可能なソーラーパネルを開発する必要がある。
【考案の概要】
【考案が解決しようとする課題】
【０００５】
本考案は、既存技術の不足を解決するために、角度を容易に調整可能なソーラーパネルを提供することを目的とする。
【課題を解決するための手段】
【０００６】
以上の目的を実現するために、本考案の使用する技術的な解決方案は以下の通りである。角度を容易に調整可能なソーラーパネルであって、それは、ソーラーパネル本体と、調整ストラップと、一端がソーラーパネル本体の裏面にヒンジ連結された架台を有し、前記ソーラーパネル本体の裏面に、角度表示エリアと前記角度表示エリアに位置対応する接続部が配置され、前記角度表示エリアに、前記ソーラーパネル本体が地面と成す角度を表示するための角度インジケーターが縦方向に配置され、前記調整ストラップの一端は、前記架台と固定するように接続され、もう一端は、必要に応じて前記接続部の前記角度インジケーターの異なる角度に対応する位置に可動するように固定される。
【０００７】
好ましくは、前記接続部は、第一面ファスナーであり、前記調整ストラップのもう一端に、前記第一面ファスナーと貼り合わせる第二面ファスナーが配置される。
【０００８】
好ましくは、前記接続部の前記角度インジケーターの異なる角度に対応する位置に、スロットが配置され、前記調整ストラップのもう一端に、前記スロットに嵌合可能なフックが配置される。
【０００９】
好ましくは、前記調整ストラップは、前記架台のもう一端に接続される。
【００１０】
好ましくは、前記接続部は、長方形となる接続部である。
【００１１】
既存技術と比べて、本考案の有益な効果は以下の通りである。本考案の角度を容易に調整可能なソーラーパネルは、その架台の一端は、ソーラーパネル本体の裏面にヒンジ接続され、架台のもう一端は、地面と接触することで、ソーラーパネル本体を地面に支えるようになる。ソーラーパネルの架台の一端は、ソーラーパネル本体の裏面にヒンジ接続されているため、架台とソーラーパネルの間の角度は必要に応じて調整することが可能である。使用する時、ユーザーは太陽光が入射した角度に基づき、調整ストラップを接続部の角度インジケーターの異なる角度に対応する位置に固定すれば、架台とソーラーパネルの間の角度を調整できるようになり、更にソーラーパネル本体と地面の間の角度を調整できるようになる。例えば、ユーザーは、太陽光が入射した角度に基づいて、ソーラーパネル本体と地面の間の角度を30°に調整する必要がある時、調整ストラップを接続部の角度インジケーターの30°に対応する位置に固定するだけで、ソーラーパネル本体と地面の間の角度を30°に調整できるようになり、極めて正確で快速に角度を調整することができる。
【００１２】
角度表示エリアの角度インジケーターは、ソーラーパネル本体と架台の実際の大きさに基づいて計算したものであり、即ち、調整ストラップを接続部の角度インジケーターの異なる角度に対応する位置に固定すれば、ソーラーパネル本体が地面と成す角度は、ちょうど角度インジケーターの相応な角度となる。
【００１３】
従って、本考案の角度を容易に調整可能なソーラーパネルは、太陽光が入射した角度と、角度表示エリアの角度インジケーターに基づき、直接に調整ストラップを接続部の対応な位置に固定することで、極めて正確で快速にソーラーパネル本体と地面の間を適切な角度に調整することが可能であり、太陽光がソーラーパネルに垂直に入射することを確保し、ソーラーパネルはより強い太陽光が得られ、さらに多くの電気エネルギーに変換し、ソーラーパネルの光電変換効率が向上する。
【図面の簡単な説明】
【００１４】
図面を用いて本考案についてさらに詳しく説明するが、図面の実施形態は本考案を限定するものではないことを理解されたい。
【図１】本考案の角度を容易に調整可能なソーラーパネルの構造を示す図である。
【考案を実施するための形態】
【００１５】
これから、本考案の実施形態と図面を組み合わせて、本考案について具体的に説明する。
【００１６】
角度を容易に調整可能なソーラーパネルであって、図1に示すように、それは、ソーラーパネル本体10と、調整ストラップ20と、一端がソーラーパネル本体10の裏面にヒンジ連結された架台30を有し、ソーラーパネル本体10の裏面に、角度表示エリア40と角度表示エリア40に位置対応する接続部50が配置され、角度表示エリア40に、ソーラーパネル本体10が地面と成す角度を表示するための角度インジケーター41が縦方向に配置され、調整ストラップ20の一端は、架台30と固定するように接続され、もう一端は、必要に応じて接続部50の角度インジケーター41の異なる角度に対応する位置に可動するように固定される。
【００１７】
本考案の角度を容易に調整可能なソーラーパネルは、その架台30の一端は、ソーラーパネル本体10の裏面にヒンジ接続され、架台30のもう一端は、地面と接触することで、ソーラーパネル本体を地面に支えるようになる。ソーラーパネルの架台30の一端は、ソーラーパネル本体10の裏面にヒンジ接続されているため、架台30とソーラーパネルの間の角度は必要に応じて調整することが可能である。使用する時、ユーザーは太陽光が入射した角度に基づき、調整ストラップ20を接続部50の角度インジケーター41の異なる角度に対応する位置に固定すれば、架台30とソーラーパネルの間の角度を調整できるようになり、更にソーラーパネル本体10と地面の間の角度を調整できるようになる。例えば、ユーザーは、太陽光が入射した角度に基づいて、ソーラーパネル本体10と地面の間の角度を30°に調整する必要がある時、調整ストラップ20を接続部50の角度インジケーター41の30°に対応する位置に固定するだけで、ソーラーパネル本体10と地面の間の角度を30°に調整できるようになり、極めて正確で快速に角度を調整することができる。
【００１８】
角度表示エリア40の角度インジケーター41は、ソーラーパネル本体10と架台30の実際の大きさに基づいて計算したものであり、即ち、調整ストラップ20を接続部50の角度インジケーターの異なる角度に対応する位置に固定すれば、ソーラーパネル本体10が地面と成す角度は、ちょうど角度インジケーター41の相応な角度となる。
【００１９】
従って、本考案の角度を容易に調整可能なソーラーパネルは、太陽光が入射した角度と、角度表示エリア40の角度インジケーター41に基づき、直接に調整ストラップ20を接続部50の対応する位置に固定することで、極めて正確で快速にソーラーパネル本体10と地面の間を適切な角度に調整することが可能であり、太陽光がソーラーパネルに垂直に入射することを確保し、ソーラーパネルはより強い太陽光が得られ、さらに多くの電気エネルギーに変換し、ソーラーパネルの光電変換効率が向上する。
【００２０】
好ましくは、図1に示すように、接続部50は、第一面ファスナー51であり、調整ストラップ20のもう一端に、前記第一面ファスナー51と貼り合わせる第二面ファスナー21が配置される。調整ストラップ20と接続部50を面ファスナーによって接続され、調整ストラップ20を粘着したり取り出して位置を交換したりするのに極めて容易に操作できるとともに、固定がしっかりしている。もちろん、調整ストラップ20と接続部50は、既存技術の他の方法によって接続されてもよく、例えば、接続部50の角度表示エリア40の角度インジケーター41の異なる角度に対応する位置に、スロット（図示していない）が配置され、調整ストラップ20のもう一端に、スロットに嵌合可能なフック（図示していない）が配置される。
【００２１】
好ましくは、図1に示すように、調整ストラップ20は、架台30のもう一端に接続される。調整ストラップ20を架台30のもう一端に接続し、力により架台30を制限することで、調整ストラップ20により、架台30とソーラーパネル本体10の間の角度を容易に調整できるようになる。
【００２２】
好ましくは、図1に示すように、接続部50は、長方形となる接続部50である。調整ストラップ20を接続部50の縦方向の異なる位置に接続することでソーラーパネル本体10の角度の調整を実現するため、接続部50を長方形に設定しており、ソーラーパネル本体10の角度調整を満足させることができるとともに、接続部50の面積が縮小し、コストを削減することができる。
【００２３】
最後に説明すべきなのは、上記実施形態は、本考案の技術的方案を説明するだけに用いられ、本考案の保護範囲に対する制限ではない。好ましい実施形態によって本考案を詳しく説明したが、当業者にとって、本発明の原理から逸脱しない前提において、さらにいくつかの改善、修正または変化を実施することができる。
【図１】
0003234486.tif 000003